(57)【要約】【課題】羽根の損傷を防止することができ、且つ、比較的自由に羽根の形状を決定することが可能な送風機を提供する。【解決手段】送風機１００は、軸部１６と、モータと、羽根５１とを備えている。軸部１６は、回転軸線Ｃを有している。モータは、回転軸線Ｃを中心に軸部１６を回転させる。羽根５１は、回転軸線５１ｃを有している。また、羽根５１は、回転軸線５１ｃを中心に回転するように軸部１６に連結されている。羽根５１は、モータの駆動に伴って軸部１６が回転軸線Ｃを中心に回転することによって、回転軸線５１ｃを中心に回転し、回転軸線Ｃを中心とする円における半径方向の寸法が拡大する方向に移動する。【選択図】図２
2013224603.tif 000002
【特許請求の範囲】
【請求項１】
第１の回転軸線を有する回転軸と、
前記第１の回転軸線を中心に前記回転軸を回転させる駆動部と、
第２の回転軸線を有し、前記第２の回転軸線を中心に回転するように前記回転軸に連結された羽根とを備え、
前記羽根は、前記駆動部の駆動に伴って前記回転軸が前記第１の回転軸線を中心に回転することによって、前記第２の回転軸線を中心に回転し、前記第１の回転軸線を中心とする円における半径方向の寸法が拡大する方向に移動する、送風機。
【請求項２】
前記羽根は、前記回転軸の回転による遠心力によって回転する、
請求項１に記載の送風機。
【請求項３】
前記円における前記羽根の半径方向の寸法が縮小する方向に、前記羽根の移動を抑制する抑制部をさらに備えた、請求項１または請求項２に記載の送風機。
【請求項４】
前記羽根は、二以上の羽根が一組であるように組み合わされた複数の羽根を含み、
前記羽根の半径方向の寸法の拡大が開始されるときに回転する前記回転軸の回転数は、前記一組の前記羽根ごとに異なっている、
請求項１から請求項３までのいずれか１項に記載の送風機。
【請求項５】
前記羽根は、二以上の羽根が一組であるように組み合わされた複数の羽根を含み、
前記羽根の重量は、前記一組の前記羽根ごとに異なっている、
請求項１から請求項４までのいずれか１項に記載の送風機。
【請求項６】
前記円における前記羽根の半径方向の寸法が縮小する方向に、前記羽根の移動を抑制する抑制部をさらに備え、
前記羽根は、二以上の羽根が一組であるように組み合わされた複数の羽根を含み、
前記抑制部は、前記円における前記羽根の半径方向の寸法が縮小する方向に前記羽根を付勢する複数のバネを有し、
前記各バネは、前記各羽根に連結され、
前記バネのバネ定数は、前記一組の前記羽根ごとに異なっている、
請求項１から請求項５までのいずれか１項に記載の送風機。
【請求項７】
前記羽根は、二以上の羽根が一組であるように組み合わされた複数の羽根を含み、
前記第１の回転軸線から前記第２の回転軸線までの距離は、前記一組の前記羽根ごとに異なっている、請求項１から請求項６までのいずれか１項に記載の送風機。
【請求項８】
前記円における前記羽根の半径方向の寸法が縮小する方向に、前記羽根の移動を抑制する抑制部をさらに備え、
前記羽根は、前記回転軸に連結され且つ前記第２の回転軸線を有する第１の部分と、前記第１の部分に連結された第２の部分とを有し、
前記抑制部は、前記円における前記羽根の半径方向の寸法が拡大することを抑制するように、前記第１の部分を付勢する第１のバネと、前記第２の部分を付勢する第２のバネとを有し、
前記回転軸と前記第１の部分との間に前記第１のバネが配置され、
前記第１の部分と前記第２の部分との間に、前記第２のバネが配置され、且つ、前記第１の部分に対する前記第２の部分の回転の中心としての第３の回転軸線が形成されている、請求項１から請求項７までのいずれか１項に記載の送風機。
【請求項９】
前記羽根は、二以上の羽根が一組であるように組み合わされた複数の羽根を含み、
前記第１の回転軸線から前記第３の回転軸線までの距離は、前記一組の前記羽根ごとに異なっている、請求項８に記載の送風機。
【請求項１０】
前記回転軸と前記羽根とに接続され、前記円の半径方向に沿って前記回転軸から延びる支持部材をさらに備えた、請求項１から請求項９までのいずれか１項に記載の送風機。
【請求項１１】
複数の前記羽根と複数の前記支持部材とを備え、
前記円の半径方向に沿って前記回転軸から離れた位置において、隣り合う二つの前記支持部材に連結される連結部材をさらに備えた、請求項１０に記載の送風機。
【請求項１２】
前記羽根は、二以上の羽根が一組であるように組み合わされた複数の羽根を含み、
前記回転軸を形成する軸部と、前記軸部から放射状に延びる複数のスポークと、前記円の半径方向に沿って前記軸部から離れた位置において、隣り合う二つの前記スポークに連結され、環形状を有するリムとを有するホイールをさらに備え、
前記複数の羽根は、前記ホイールに固定されている、
請求項１から請求項９までのいずれか１項に記載の送風機。
【請求項１３】
前記駆動部は、前記回転軸を第１の回転方向と、前記第１の回転方向と逆向きの第２の回転方向とに回転させる、請求項１から請求項１２までのいずれか１項に記載の送風機。
【請求項１４】
前記第２の回転軸線は、前記第１の回転軸線が延びる方向と略平行な方向に延びている、請求項１から請求項１３までのいずれか１項に記載の送風機。
【請求項１５】
照明器具をさらに備えた、
請求項１から請求項１４までのいずれか１項に記載の送風機。
【請求項１６】
前記回転軸の回転が停止している場合において、前記第１の回転軸線が延びる方向の一方に沿って当該送風機を見るときに、前記羽根の全体が前記照明器具に隠れている、
請求項１５に記載の送風機。
【発明の詳細な説明】
【技術分野】
【０００１】
本発明は、一般的には送風機に関し、特定的には室内の天井に設置される送風機に関する。
【背景技術】
【０００２】
回転軸と複数の羽根とを備え、回転軸の中心を中心とする円の半径方向に沿った羽根の寸法が、回転軸および羽根の回転に伴って変化する送風機の例として、特開平８−１５９０８９号公報（以下、特許文献１という）に記載された天井扇と、特許第４８７６６５２号公報（以下、特許文献２という）に記載された天井扇とが従来から知られている。これらの各送風機によれば、回転軸の回転数を増加させることなく、羽根の回転によって得られる風量または風速を増大させることができる。
【０００３】
例えば、特許文献１に記載の天井扇は、回転軸と羽根とを結ぶ引張ばねを備えている。特許文献１に記載の天井扇において、羽根は、羽根に作用する遠心力によって引張ばねのばね力に抗して羽根の径が変位自在であるように、回転軸に連結されている。
【０００４】
一方、特許文献２に記載の天井扇は、回転軸の一端を天井面側に固定するための取り付け手段と、回転軸を中心に回転する電動機と、電動機を内包し電動機と共に回転する回転体と、羽根板とを備えている。羽根板は、回転体に固定される主板と、径延長板とを有している。径延長板は、主板が延びる方向と略平行な方向にスライド自在に主板に取り付けられている。
【０００５】
特許文献２に記載の天井扇において、主板の下側端面にはスリット穴が形成されている。スリット穴には、径延長板に形成された突起が位置している。スリット穴の内周側端と突起とは、スリット穴において、ばねで連結されている。回転軸の回転数の上昇に従い、羽根板に作用する遠心力が増大する。これにより、ばねの引張り力に反して主板に対して径延長板が摺動することによって、径延長板が半径方向の外側に移動する。
【先行技術文献】
【特許文献】
【０００６】
【特許文献１】特開平８−１５９０８９号公報
【特許文献２】特許第４８７６６５２号公報
【発明の概要】
【発明が解決しようとする課題】
【０００７】
しかしながら、特許文献１に記載の天井扇と特許文献２の天井扇とにおいて、回転軸を中心とする円の半径方向に沿った羽根の寸法は、回転軸および羽根が回転することによって、羽根が延びる方向に沿って増大する。そのため、回転軸および羽根が回転することによって延長された部分が障害物と衝突する場合には、羽根と障害物との衝撃が緩和されず、羽根は大きな衝撃を受けてしまう。すなわち、羽根の寸法が増大することによって、羽根が損傷するおそれがある。
【０００８】
また、特許文献２に記載の天井扇においては、主板に対して径延長板が摺動することによって羽根板の径が増大する。つまり、主板および径延長板の形状は、主板に対して径延長板が円滑に摺動するように決定される必要がある。そのため、風向きおよび風速を考慮して主板および径延長板の形状を決定することは、限界があった。このように、特許文献２に記載の天井扇においては、羽根板の形状を自由に決定することが制限されている。さらに、長期間の使用の場合に、主板に対する径延長板の摺動によって羽根板が損傷するおそれがある。
【０００９】
そこで、本発明の目的は、羽根の損傷を防止することができ、且つ、比較的自由に羽根の形状を決定することが可能な送風機を提供することである。
【課題を解決するための手段】
【００１０】
本発明に従った送風機は、回転軸と、駆動部と、羽根とを備えている。回転軸は、第１の回転軸線を有している。駆動部は、第１の回転軸線を中心に回転軸を回転させる。羽根は、第２の回転軸線を有している。また、羽根は、第２の回転軸線を中心に回転するように回転軸に連結されている。羽根は、駆動部の駆動に伴って回転軸が第１の回転軸線を中心に回転することによって、第２の回転軸線を中心に回転し、第１の回転軸線を中心とする円における半径方向の寸法が拡大する方向に移動する。
【００１１】
本発明に従った送風機において、回転軸および羽根が第１の回転軸線を中心に回転しながら、羽根における寸法が拡大された部分が障害物と衝突する場合は、第２の回転軸線を中心に羽根が回転することによって、羽根と障害物との衝撃を緩和することができる。すなわち、本発明によれば、羽根の寸法が変化する場合でも、羽根の損傷を防止することができる。
【００１２】
また、本発明に従った送風機においては、第２の回転軸線を中心に羽根が回転することによって、第１の回転軸線を中心とする円における羽根の半径方向の寸法が拡大する。このように、本発明に従った送風機においては、羽根の寸法が摺動によって変化しない。そのため、羽根の回転によって生じる風の向きおよび流速を考慮して、羽根の形状を適宜決定することができる。つまり、本発明によれば、比較的自由に羽根の形状を決定することができる。
【００１３】
このように、本発明によれば、羽根の損傷を防止することができ、且つ、比較的自由に羽根の形状を決定することができる送風機を提供することができる。
【００１４】
本発明に従った送風機において、羽根は、好ましくは、回転軸の回転による遠心力によって回転する。このように、本発明に従った送風機においては、回転軸および羽根が第１の回転軸線を中心に回転することによって、羽根に負荷される遠心力を利用している。これにより、第１の回転軸線を中心とする円における半径方向の寸法が拡大する方向に、羽根を容易に移動させることができる。
【００１５】
本発明に従った送風機は、好ましくは、抑制部をさらに備えている。抑制部は、好ましくは、第１の回転軸線を中心とする円における羽根の半径方向の寸法が縮小する方向に羽根の移動を抑制する。
【００１６】
本発明に従った送風機においては、抑制部によって羽根に負荷される力よりも大きな力が羽根に負荷される場合は、第２の回転軸線を中心に羽根が回転することによって、第１の回転軸線を中心とする円における羽根の半径方向の寸法が拡大する。このように、この構成によれば、羽根に負荷される力に応じて、第１の回転軸線を中心とする円における羽根の半径方向の寸法が拡大する方向に羽根を移動させることができる。そのため、羽根に負荷される力に応じて、得られる風力または風量を調整することができる。また、回転軸の回転数が減少する場合に、羽根を元の位置に戻すことができる。
【００１７】
本発明に従った送風機において、羽根は、好ましくは、二以上の羽根が一組であるように組み合わされた複数の羽根を含む。本発明に従った送風機において、好ましくは、羽根の半径方向の寸法の拡大が開始されるときに回転する回転軸の回転数は、一組の羽根ごとに異なっている。
【００１８】
この構成によれば、所定の回転数で回転軸が回転する場合に、例えば、一の一組の羽根の寸法が拡大する。回転数が次第に増加して、別の所定の回転数で回転軸が回転する場合に、さらに別の一組の羽根の寸法が拡大する。このように、この構成によれば、回転軸の回転数を調整することだけによって得られる風力または風量に比べて、得られる風力または風量を格段に増大することができる。
【００１９】
本発明に従った送風機において、羽根は、好ましくは、二以上の羽根が一組であるように組み合わされた複数の羽根を含む。本発明に従った送風機において、好ましくは、羽根の重量は、一組の羽根ごとに異なっている。
【００２０】
この構成によれば、所定の回転数で回転軸が回転する場合に、比較的重い重量を有する一の一組の羽根の寸法が拡大する。回転数が次第に増加して、別の所定の回転数で回転軸が回転する場合に、比較的軽い重量を有するさらに別の一組の羽根の寸法が拡大する。このように、この構成によれば、回転軸の回転数を調整することだけによって得られる風力または風量に比べて、得られる風力または風量を格段に増大することができる。
【００２１】
本発明に従った送風機は、好ましくは、抑制部をさらに備えている。抑制部は、好ましくは、第１の回転軸線を中心とする円における羽根の半径方向の寸法が縮小する方向に羽根の移動を抑制する。本発明に従った送風機において、羽根は、好ましくは、二以上の羽根が一組であるように組み合わされた複数の羽根を含む。本発明に従った送風機において、好ましくは、抑制部は複数のバネを有している。各バネは、好ましくは、円における羽根の半径方向の寸法が縮小する方向に羽根を付勢する。各バネは、好ましくは、各羽根に連結されている。バネのバネ定数は、一組の羽根ごとに異なっている。
【００２２】
この構成によれば、所定の回転数で回転軸が回転する場合に、比較的小さいバネ定数を有するバネが連結された一の一組の羽根の寸法が拡大する。回転数が次第に増加して、別の所定の回転数で回転軸が回転する場合に、比較的大きいバネ定数を有するバネが連結されたさらに別の一組の羽根の寸法が拡大する。このように、この構成によれば、回転軸の回転数を調整することだけによって得られる風力または風量に比べて、得られる風力または風量を格段に増大することができる。
【００２３】
本発明に従った送風機において、羽根は、好ましくは、二以上の羽根が一組であるように組み合わされた複数の羽根を含む。本発明に従った送風機において、好ましくは、第１の回転軸線から第２の回転軸線までの距離は、一組の羽根ごとに異なっている。
【００２４】
この構成によれば、所定の回転数で回転軸が回転する場合に、第１の回転軸線から第２の回転軸線までの距離が比較的長い一の一組の羽根の寸法が拡大する。回転数が次第に増加して、別の所定の回転数で回転軸が回転する場合に、第１の回転軸線から第２の回転軸線までの距離が比較的短いさらに別の一組の羽根の寸法が拡大する。このように、この構成によれば、回転軸の回転数を調整することだけによって得られる風力または風量に比べて、得られる風力または風量を格段に増大することができる。
【００２５】
本発明に従った送風機は、好ましくは、抑制部をさらに備えている。抑制部は、好ましくは、第１の回転軸線を中心とする円における羽根の半径方向の寸法が縮小する方向に羽根の移動を抑制する。本発明に従った送風機において、好ましくは、羽根は、第１の部分と第２の部分とを有している。第１の部分は、好ましくは、回転軸に連結され且つ第２の回転軸線を有している。第２の部分は、好ましくは、第１の部分に連結されている。抑制部は、好ましくは、第１のバネと第２のバネとを有している。第１のバネは、好ましくは、第１の回転軸線を中心とする円における羽根の半径方向の寸法が拡大することを抑制するように、第１の部分を付勢する。第２のバネは、好ましくは、第１の回転軸線を中心とする円における羽根の半径方向の寸法が拡大することを抑制するように、第２の部分を付勢する。本発明に従った送風機において、好ましくは、第１のバネは回転軸と第１の部分との間に配置されている。第１の部分と第２の部分との間には、第２のバネが配置され、且つ、第１の部分に対する第２の部分の回転の中心としての第３の回転軸線が形成されている。
【００２６】
この構成によれば、第１の部分が第２の回転軸線を中心に回転軸に対して回転することによって、羽根の寸法が半径方向に沿って拡大するとともに、第２の部分が第３の回転軸線を中心に第１の部分に対して回転することによって羽根の寸法が半径方向に沿ってさらに拡大する。このように、この構成によれば、羽根において一つの部分のみが第２の回転軸線を中心に回転する構成に比べて、得られる風力または風量を格段に増大することができる。
【００２７】
本発明に従った送風機において、羽根は、好ましくは、二以上の羽根が一組であるように組み合わされた複数の羽根を含む。本発明に従った送風機において、第１の回転軸線から第３の回転軸線までの距離は、好ましくは、一組の羽根ごとに異なっている。
【００２８】
この構成によれば、複数の組における第１の回転軸線から第３の回転軸線までの距離の違いに応じて、第１の部分から第２の部分が広がるときに回転する回転軸の回転数に差が生じる。このように、この構成によれば、得られる風力または風量を、格段に増大することができ、且つ、複数の組における第１の回転軸線から第３の回転軸線までの距離の違いに応じて、適宜調整することができる。
【００２９】
本発明に従った送風機は、好ましくは、支持部材をさらに備えている。支持部材は、好ましくは、回転軸と羽根とに接続され、円の半径方向に沿って回転軸から延びている。
【００３０】
この構成によれば、回転軸と羽根とを支持部材によって容易に連結することができ、且つ、回転軸と羽根との間に支持部材を配置することができる。
【００３１】
一般的な送風機と同様に、本発明に従った送風機において、第１の回転軸線を中心とする円の半径方向に沿って第１の回転軸線からより離れた位置に、風を発生させる部分が配置されている場合は、風を発生させる部分が回転軸の近傍に配置される場合に比べて大きな風量を効率よく得ることができる。
【００３２】
本発明に従った送風機の構成によれば、回転軸と羽根との間に支持部材が配置されていることにより、第１の回転軸線を中心とする円の半径方向に沿って第１の回転軸線からより離れた位置に、風を発生させる部分としての羽根を配置することができる。さらに、この構成によれば、回転軸と羽根との間の連結について、剛性等の必要な強度を支持部材が有することによって、羽根を軽量化することができる。これにより、第１の回転軸線が延びる方向に沿って羽根が撓むことなく、第１の回転軸線が延びる方向に略直交する方向に沿って、支持部材と羽根とを円滑に回転させることができる。そのため、当該送風機は、羽根の表面の広い範囲を用いて、風を発生することができる。また、当該送風機全体を軽量化することができる。
【００３３】
本発明に従った送風機は、好ましくは、複数の羽根と複数の支持部材とを備え、且つ、連結部材をさらに備えている。連結部材は、好ましくは、円の半径方向に沿って回転軸から離れた位置において、隣り合う二つの支持部材に連結されている。
【００３４】
この構成によれば、第１の回転軸線が延びる方向に沿って支持部材と羽根とが撓むように変形することを防止することができる。そのため、第１の回転軸線が延びる方向に略直交する方向に沿って、支持部材と羽根とを円滑に回転させることができる。
【００３５】
本発明に従った送風機において、羽根は、好ましくは、複数の羽根を含む。本発明に従った送風機は、好ましくは、軸部と、複数のスポークと、リムとを有するホイールをさらに備えている。軸部は、好ましくは、回転軸を形成する。複数のスポークは、好ましくは、軸部から放射状に延びている。リムは、好ましくは、環形状を有している。リムは、好ましくは、円の半径方向に沿って軸部から離れた位置において、隣り合う二つのスポークに連結されている。複数の羽根は、好ましくは、ホイールに固定されている。
【００３６】
この構成によれば、ホイールによって羽根を駆動部に容易に連結することができる。つまり、羽根が固定されたホイールを駆動部に連結することによって、当該送風機を例えば室内等の所定の場所に比較的簡易に設置することができる。
【００３７】
また、この構成によれば、回転軸を形成する軸部と羽根との間に配置されたスポークにより、円の半径方向に沿って第１の回転軸線からより離れた位置に、風を発生させる部分としての羽根を配置することができる。また、ホイールと羽根との間の連結について、剛性等の必要な強度をホイールが有することによって、羽根を軽量化することができ、且つ、当該送風機全体を軽量化することができる。さらに、第１の回転軸線が延びる方向に沿って羽根が撓むことなく、第１の回転軸線が延びる方向に略直交する方向に沿って、ホイールとともに羽根を円滑に回転させることができる。
【００３８】
本発明に従った送風機において、駆動部は、回転軸を第１の回転方向と、第１の回転方向と逆向きの第２の回転方向とに回転させる。
【００３９】
本発明に従った送風機においては、第１の回転方向と第２の回転方向とのいずれの方向に回転軸が回転する場合でも、羽根の寸法を変化させることができる。また、第１の回転方向と第２の回転方向とに回転軸が回転することによって、羽根の回転によって生じる気流の向きが逆転する。例えば、駆動部が羽根を第１の回転方向に回転させたときに、送風機は下降気流を発生させる。一方、駆動部が羽根を第２の回転方向に回転させたときに、送風機は上昇気流を発生させる。このように、この構成によれば、回転軸の回転方向を切り替えることによって、気流の進行方向を調整することができる。
【００４０】
本発明に従った送風機において、第２の回転軸線は、第１の回転軸線が延びる方向と略平行な方向に延びている。
【００４１】
この構成によれば、羽根の寸法が拡大する場合でも、第１の回転軸線が延びる方向に沿った羽根の寸法が拡大することを防止することができる。そのため、構成によれば、例えば当該送風機が設置される壁面と羽根との間に大きな隙間が無い場合であっても、壁面に設置された当該送風機を効果的に利用することができる。
【００４２】
本発明に従った送風機は、好ましくは、照明器具をさらに備えている。この構成によれば、当該送風機を照明装置としても利用することができる。
【００４３】
本発明に従った送風機の回転軸の回転が停止している場合において、第１の回転軸線が延びる方向の一方に沿って送風機を見るときに、好ましくは、羽根の全体が照明器具に隠れている。
【００４４】
この構成によれば、送風機が使用されていない場合において、照明装置のインテリア性の低下を防止することができる。
【発明の効果】
【００４５】
以上のように、本発明によれば、羽根の損傷を防止することができ、且つ、比較的自由に羽根の形状を決定することができる送風機を提供することができる。
【図面の簡単な説明】
【００４６】
【図１】本発明に係る送風機を上方から見た送風機の全体を示す斜視図であって、羽根が閉じられた状態を示す図である。
【図２】本発明に係る送風機を下方から見た送風機の全体を示す斜視図であって、羽根が閉じられた状態を示す図である。
【図３】本発明に係る送風機を上方から見た送風機の全体を示す斜視図であって、羽根が開かれた状態を示す図である。
【図４】本発明に係る送風機の羽根とバネとの連結を説明するための図であって、羽根が閉じられた状態を示す図である。
【図５】本発明に係る送風機の羽根とバネとの連結を説明するための図であって、羽根が開かれた状態を示す図である。
【図６】本発明に係る送風機の駆動部とホイールとの連結を説明するための図であって、駆動部等の断面図である。
【図７】照明器具が取り付けられた本発明に係る送風機を上方から見た送風機の全体を示す斜視図であって、羽根が閉じられた状態を示す図である。
【図８】照明器具が取り付けられた本発明に係る送風機を側方から見た送風機の全体を示す図であって、（Ａ）は羽根が閉じられた状態を示す図であり、（Ｂ）は羽根が開かれた状態を示す図である。
【図９】本発明に係る送風機を上方から見た送風機の全体を示す平面図であって、隣り合う二つの羽根において、開かれた羽根と閉じられた羽根とが互い違いに並ぶ状態を示す図である。
【図１０】照明器具が取り付けられた本発明に係る送風機の別の一例を上方から見た送風機を示す図であって、羽根が開かれた状態を示す図である。
【図１１】本発明に係る送風機のまた別の一例を上方から見た送風機の全体を概略的に示す図であって、羽根が閉じられた状態を示す図である。
【図１２】本発明に係る送風機のさらに別の一例を上方から見た送風機の全体を概略的に示す図であって、羽根が閉じられた状態を示す図である。
【図１３】本発明に係る送風機のさらに別の一例の羽根の別の一例の一部を概略的に示す図であって、（Ａ）は羽根を上方から見た図であり、（Ｂ）は羽根を側方から見た図である。
【発明を実施するための形態】
【００４７】
以下、本発明の実施の形態を図面に基づいて説明する。
【００４８】
（第１実施形態）
図１〜３に、本発明に従った送風機１００を示す。送風機１００は、図示しない天井に設置される送風機である。図１に示すように、送風機１００は、ファンホイール１０と、複数の羽根５１とを備えている。送風機１００において、羽根５１の数は８である。
【００４９】
ファンホイール１０は、回転軸を形成する軸部１６（図２参照）と、軸部１６から放射状に延びる複数のスポーク１１と、環形状を有するリム１５とを有する。回転軸の一例としての軸部１６は、回転軸線Ｃを有する。回転軸線Ｃは、第１の回転軸線の一例である。
【００５０】
軸部１６は、筒形状を有している。スポーク１１は、回転軸線Ｃが延びる方向と略直交する方向に、軸部１６の周表面から延びている。スポーク１１の付根１１ａは、略円板形状を有している。これら軸部１６とスポーク１１の付根１１ａとによって、ファンホイール１０のハブが形成されている。
【００５１】
リム１５は、回転軸線Ｃを中心とする円の半径方向に沿って軸部１６から離れた位置において、隣り合う二つのスポーク１１に連結されている。リム１５は、連結部材の一例である。軸部１６とスポーク１１とリム１５とは、一体である。リム１５は、円環形状を有している。ファンホイール１０の全体は、略円板形状を有している。回転軸線Ｃは、ファンホイール１０の中心を通る直線である。
【００５２】
ファンホイール１０において、スポーク１１の数は、羽根５１の数と同一である。各スポーク１１は、ファンホイール１０の半径方向に沿って延びている。互いに隣り合う二つのスポーク１１の間隔は、ファンホイール１０の円周方向に沿ってそれぞれ等間隔である。スポーク１１が二つに枝分かれするように、スポーク１１には空洞部１４が形成されている。円の半径方向に沿って軸部１６から離れた位置において、スポーク１１は、補強部１２と補強部１３とに分岐されている。スポーク１１において、補強部１２と補強部１３とがリム１５に接続する。補強部１２と補強部１３とは、円の半径方向から傾斜した方向に延びている。
【００５３】
スポーク１１は、支持部材の一例である。スポーク１１の一端は、軸部１６に接続されている。補強部１２を含むスポーク１１の他端は、リム１５を介して、羽根５１に接続されている。
【００５４】
各羽根５１は、ファンホイール１０のリム１５に固定されている。ファンホイール１０の円周方向において、互いに隣り合う二つの羽根５１の間隔は、それぞれ等間隔である。図２に示すように、各羽根５１は、ボルトおよびナット等の固定具５ａによって、ファンホイール１０のリム１５に回転自在に固定されている。固定具５ａは、各羽根５１に形成された孔（図示せず）と、リム１５に形成された孔（図示せず）とに埋め込まれている。各羽根５１は、固定具５ａが埋め込まれた孔の中心を中心として回転する。すなわち、各羽根５１は、回転軸線５１ｃ（図４参照）を有している。
【００５５】
なお、図４に示す回転軸線５１ｃは、図１に示す回転軸線Ｃが延びる方向と略平行な方向に延びている。回転軸線５１ｃは、各羽根５１に形成された孔の中心およびリム１５に形成された孔の中心を通る直線である。回転軸線５１ｃは、第２の回転軸線の一例である。
【００５６】
このようにして、各羽根５１は、回転軸線５１ｃを中心に回転自在にファンホイール１０の軸部１６に連結されている。各羽根５１は、モータ５０（図６参照）の駆動に伴ってファンホイール１０が回転軸線Ｃを中心に回転することによって、回転軸線５１ｃを中心に遠心力によって回転する。また、各羽根５１は、回転軸線５１ｃを中心に遠心力によって回転することによって、回転軸線Ｃを中心とする円における半径方向の寸法が拡大する方向に移動する。
【００５７】
ファンホイール１０の材質と羽根５１の材質とは、アルミニウム合金である。送風機１００の軽量化のために、ファンホイール１０と羽根５１とは、比較的比重の小さい材料によって形成されていることが好ましい。また、ファンホイール１０と羽根５１とは、比較的高い剛性を有する材料によって形成されていることが好ましい。ファンホイール１０と羽根５１とは、高強度樹脂材料等を含んでいてもよい。
【００５８】
８枚の羽根５１は、それぞれ板形状を有している。回転軸線Ｃを中心に図３において反時計回りにファンホイール１０が回転する場合に、送風機１００は、下降気流を発生させる。回転軸線Ｃを中心に図３において反時計回りにファンホイール１０が回転する場合に、羽根５１の進行方向側の端部が反対側の端部よりも上方に位置するように、羽根５１上面および下面は、水平面に対して傾斜している。一方、回転軸線Ｃを中心に図３において時計回りにファンホイール１０が回転する場合に、送風機１００は、上昇気流を発生させる。
【００５９】
図１に示すように、ファンホイール１０は、ローゼットアダプタ３０に連結されている。ローゼットアダプタ３０は、送風機１００を天井に取り付けるための金具３１を備えている。金具３１は、シーリングアダプタ４０に配置されたツマミ４１（いずれも図２参照）の操作に伴って、回転軸線Ｃを中心とする円の半径方向に移動する。
【００６０】
図６に示すように、回転軸線Ｃが延びる方向に沿ってローゼットアダプタ３０とシーリングアダプタ４０とに挟まれるように、モータ５０がローゼットアダプタ３０に収容されている。モータ５０は、回転軸線Ｃを中心に軸部１６を回転させる。モータ５０には、ピニオンギア１が取り付けられている。ピニオンギア１には、アイドルギア２が噛み合っている。回転軸線Ｃが延びる方向の一方側（図６の下側）の軸部１６の端部には、軸部１６と一体である内歯歯車３が配置されている。アイドルギア２と内歯歯車３とは、互いに噛み合っている。
【００６１】
このようにして、モータ５０の回転は、各歯車によって減速されてから軸部１６に伝達される。モータ５０は、駆動部の一例である。モータ５０は、扁平型の直流ブラシレスモータである。なお、ローゼットアダプタ３０の周面には、玉軸受４が固定されている。玉軸受４の外周面に、円筒状の軸部１６が固定されている。
【００６２】
なお、モータ５０は、回転方向が、第１の回転方向と、第１の回転方向と逆向きの第２の回転方向とに切り替え自在に構成されている。モータ５０は、軸部１６を第１の回転方向と第２の回転方向とに回転させる。
【００６３】
モータ５０とファンホイール１０との連結がこのように構成されていることにより、送風機１００においては、厚さ３５ｍｍ程度でファンホイール１０の回転の機構を構成することができる。一般的に商品化されたシーリングライトについて、薄型のものの厚さは、４５ｍｍ〜７５ｍｍ程度である。後述するように、照明器具９０（図７参照）を備えた送風機１００においては、このような連結の構成により、照明器具９０と送風機１００とが合わされた厚さが８０ｍｍ〜１１０ｍｍ程度に抑えられている。
【００６４】
照明器具９０がシーリングアダプタ４０（図２参照）に取り付けられることにより、送風機１００と照明器具９０とが一体化される。照明器具９０に取り付けられる配線は、ローゼットアダプタ３０とシーリングアダプタ４０とを貫通して、照明器具９０の基板（図示せず）に接続される。基板には、光源としての発光ダイオードが取り付けられている。
【００６５】
図４に示すように、ファンホイール１０と各羽根５１とには、コイルバネ２０が連結されている。コイルバネ２０は、抑制部の一例である。各コイルバネ２０は、回転軸線Ｃ（図１参照）を中心とする円における羽根５１の半径方向の寸法が縮小する方向に各羽根５１を付勢する。なお、図２においては、コイルバネ２０の図示が省かれている。
【００６６】
ファンホイール１０のスポーク１１の補強部１２に、コイルバネ２０の一端が固定されている。補強部１２には、ストッパ１２ａが形成されている。コイルバネ２０の他端は、羽根５１に固定されている。コイルバネ２０は、ボルトおよびナット等の固定具２１，２２によって、それぞれスポーク１１の補強部１２と羽根５１とに固定されている。コイルバネ２０は、円の半径方向に沿ってストッパ１２ａよりも回転軸線Ｃから離れた位置に配置されている。コイルバネ２０の一端は、円の半径方向に沿ってコイルバネ２０の他端よりも回転軸線Ｃから離れた位置に配置されている。
【００６７】
ファンホイール１０の軸部１６（図２参照）の回転が停止している場合には、コイルバネ２０の引張力によって、回転軸線Ｃ（図１参照）を中心とする円における羽根５１の半径方向の寸法が縮小する方向に、羽根５１が付勢されている。これにより、羽根５１の移動が抑制されている。また、ファンホイール１０の軸部１６（図２参照）の回転が停止している場合には、羽根５１の側面がストッパ１２ａに接触している。これにより、コイルバネ２０の引張力によって回転軸線Ｃ（図１参照）を中心とする円における羽根５１の半径方向の寸法が縮小する方向に羽根５１がさらに移動することを、制限することができる。
【００６８】
一方、ファンホイール１０の軸部１６（図２参照）が上述した第１の方向または第２の方向に回転する場合は、羽根５１に遠心力が負荷される。コイルバネ２０の引張力よりも大きい遠心力が生じる程度にモータ５０（図６参照）の回転数が増大する場合には、羽根５１が回転軸線５１ｃを中心に回転する。羽根５１に負荷される遠心力とコイルバネ２０の引張力とが釣り合う位置まで、羽根５１はファンホイール１０に対して回転する（図５参照）。このようにして、回転軸線Ｃを中心とする円における羽根５１の半径方向の寸法が拡大する。
【００６９】
なお、送風機１００（図３参照）の８枚の羽根５１において、各羽根５１の形状および重量は、略同一である。また、各羽根５１の回転軸線５１ｃの位置は、回転軸線Ｃを中心とする同一円上に配置されている。さらに、８枚の羽根５１とファンホイール１０とに連結する８個のコイルバネ２０のそれぞれのバネ定数は、略同一である。そのため、モータ５０（図６参照）が所定の回転数で回転する場合に、図３に示すように８枚のすべての羽根５１が略同時にファンホイール１０から広がる。
【００７０】
図７は、照明器具９０が取り付けられた送風機１００の全体を示す斜視図である。図７は、送風機１００の全体を上方から見た図であって、羽根５１が閉じられた状態を示す図である。照明器具９０は、光を透過するカバー９１を有している。カバー９１の内部には、光源が取り付けられた基板（いずれも図示せず）が配置されている。カバー９１は、円形の皿形状を有している。
【００７１】
ファンホイール１０の回転が停止している場合には、図８（Ａ）に示すように、図８（Ａ）の左右方向においてカバー９１が占める範囲に、羽根５１の全体が配置されている。このように、ファンホイール１０の回転が停止している場合において、回転軸線Ｃが延びる方向の一方（図８（Ａ）の下方から上方に向かう方向）に沿って送風機１００を見るときに、羽根５１の全体はカバー９１に隠れている。つまり、送風機１００によれば、ファンホイール１０の回転が停止している場合において、回転軸線Ｃが延びる方向の一方に沿って送風機１００を見るときに、羽根５１の全体が照明器具９０に隠れている。
【００７２】
一方、ファンホイール１０が回転して、回転軸線Ｃを中心とする円における羽根５１の半径方向の寸法が最大限に拡大する場合には、図８（Ｂ）の左右方向においてカバー９１が占める範囲から、羽根５１の先端を含む一部が突出する。そのため、回転軸線Ｃを中心とする円における羽根５１の半径方向の寸法が最大限に拡大する場合に、回転軸線Ｃが延びる方向の一方に沿って送風機１００を見るときには、羽根５１の先端を含む一部がカバー９１から露出する。
【００７３】
以上のように、第１実施形態の送風機１００は、軸部１６と、モータ５０と、羽根５１とを備えている。軸部１６は、回転軸線Ｃを有している。モータ５０は、回転軸線Ｃを中心に軸部１６を回転させる。羽根５１は、回転軸線５１ｃを有している。また、羽根５１は、回転軸線５１ｃを中心に回転するように軸部１６に連結されている。羽根５１は、モータ５０の駆動に伴って軸部１６が回転軸線Ｃを中心に回転することによって、回転軸線５１ｃを中心に回転し、回転軸線Ｃを中心とする円における半径方向の寸法が拡大する方向に移動する。
【００７４】
送風機１００において、軸部１６および羽根５１が回転軸線Ｃを中心に回転しながら、羽根５１における寸法が拡大された部分が障害物と衝突する場合は、回転軸線５１ｃを中心に羽根５１が回転することによって、羽根５１と障害物との衝撃を緩和することができる。すなわち、送風機１００においては、羽根５１の寸法が変化する場合でも、羽根５１の損傷を防止することができる。
【００７５】
また、送風機１００においては、回転軸線５１ｃを中心に羽根５１が回転することによって、回転軸線Ｃを中心とする円における羽根５１の半径方向の寸法が拡大する。このように、送風機１００においては、羽根５１の寸法が摺動によって変化しない。そのため、羽根５１の回転によって生じる風の向きおよび流速を考慮して、羽根５１の形状を適宜決定することができる。つまり、送風機１００においては、比較的自由に羽根の形状を決定することができる。
【００７６】
このように、送風機１００においては、羽根５１の損傷を防止することができ、且つ、比較的自由に羽根５１の形状を決定することができる。
【００７７】
送風機１００において、羽根５１は、軸部１６の回転による遠心力によって回転する。このように、送風機１００においては、軸部１６および羽根５１が回転軸線Ｃを中心に回転することによって、羽根５１に負荷される遠心力を利用している。これにより、回転軸線Ｃを中心とする円における半径方向の寸法が拡大する方向に、羽根５１を容易に移動させることができる。
【００７８】
送風機１００は、コイルバネ２０を備えている。コイルバネ２０は、回転軸線Ｃを中心とする円における羽根５１の半径方向の寸法が縮小する方向に羽根５１の移動を抑制する。
【００７９】
送風機１００においては、コイルバネ２０によって羽根５１に負荷される力よりも大きな力が羽根５１に負荷される場合は、回転軸線５１ｃを中心に羽根５１が回転することによって、回転軸線Ｃを中心とする円における羽根５１の半径方向の寸法が拡大する。このように、この構成によれば、羽根５１に負荷される力に応じて、回転軸線Ｃを中心とする円における羽根５１の半径方向の寸法が拡大する方向に羽根５１を移動させることができる。そのため、羽根５１に負荷される力に応じて、得られる風力または風量を調整することができる。また、軸部１６の回転数が減少する場合に、羽根５１を元の位置に戻すことができる。
【００８０】
送風機１００は、支持部材としてのスポーク１１を備えている。スポーク１１は、軸部１６と羽根５１とに接続され、円の半径方向に沿って軸部１６から延びている。
【００８１】
この構成によれば、軸部１６と羽根５１とをスポーク１１によって容易に連結することができ、且つ、軸部１６と羽根５１との間にスポーク１１を配置することができる。
【００８２】
この構成によれば、軸部１６と羽根５１との間にスポーク１１が配置されていることにより、回転軸線Ｃを中心とする円の半径方向に沿って回転軸線Ｃからより離れた位置に、風を発生させる部分としての羽根５１を配置することができる。さらに、この構成によれば、軸部１６と羽根５１との間の連結について、剛性等の必要な強度をスポーク１１が有することによって、羽根５１を軽量化することができる。これにより、回転軸線Ｃが延びる方向に沿って羽根５１が撓むことなく、回転軸線Ｃが延びる方向に略直交する方向に沿って、スポーク１１と羽根５１とを円滑に回転させることができる。そのため、送風機１００は、羽根５１の表面の広い範囲を用いて、風を発生することができる。また、送風機１００全体を軽量化することができる。
【００８３】
送風機１００は、８枚の羽根と８個のスポーク１１とを備え、且つ、連結部材としてのリム１５を備えている。リム１５は、円の半径方向に沿って軸部１６から離れた位置において、隣り合う二つのスポーク１１に連結されている。
【００８４】
この構成によれば、回転軸線Ｃが延びる方向に沿ってスポーク１１と羽根５１とが撓むように変形することを防止することができる。そのため、回転軸線Ｃが延びる方向に略直交する方向に沿って、スポーク１１と羽根５１とを円滑に回転させることができる。
【００８５】
送風機１００において、羽根５１は、複数の羽根５１を含む。送風機１００は、軸部１６と、複数のスポーク１１と、リム１５とを有するファンホイール１０を備えている。軸部１６は、回転軸を形成する。スポーク１１は、軸部１６から放射状に延びている。リム１５は、円環形状を有している。リム１５は、円の半径方向に沿って軸部１６から離れた位置において、隣り合う二つのスポーク１１に連結されている。複数の羽根５１は、ファンホイール１０に固定されている。
【００８６】
この構成によれば、ファンホイール１０によって羽根５１をモータ５０に容易に連結することができる。つまり、羽根５１が固定されたファンホイール１０をモータ５０に連結することによって、送風機１００を例えば室内等の所定の場所に比較的簡易に設置することができる。
【００８７】
送風機１００において、モータ５０は、軸部１６を第１の回転方向と、第１の回転方向と逆向きの第２の回転方向とに回転させる。
【００８８】
送風機１００においては、第１の回転方向と第２の回転方向とのいずれの方向に軸部１６が回転する場合でも、羽根５１の寸法を変化させることができる。また、第１の回転方向と第２の回転方向とに軸部１６が回転することによって、羽根５１の回転によって生じる気流の向きが逆転する。例えば、モータ５０が羽根５１を第１の回転方向に回転させたときに、送風機１００は下降気流を発生させる。例えば、モータ５０が羽根５１を第２の回転方向に回転させたときに、送風機１００は上昇気流を発生させる。このように、この構成によれば、軸部１６の回転方向を切り替えることによって、気流の進行方向を調整することができる。
【００８９】
送風機１００において、回転軸線５１ｃは、回転軸線Ｃが延びる方向と略平行な方向に延びている。この構成によれば、羽根５１の寸法が拡大する場合でも、回転軸線Ｃが延びる方向に沿った羽根５１の寸法が拡大することを防止することができる。そのため、この構成によれば、送風機１００が設置される天井と羽根５１との間に大きな隙間が無い場合であっても、天井に設置された送風機１００を効果的に利用することができる。
【００９０】
送風機１００は、照明器具９０を備えている。この構成によれば、送風機１００を照明装置としても利用することができる。
【００９１】
送風機１００の軸部１６の回転が停止している場合において、回転軸線Ｃが延びる方向の一方に沿って送風機１００を見るときに、羽根５１の全体は照明器具９０に隠れている。この構成によれば、送風機１００が使用されていない場合において、照明装置のインテリア性の低下を防止することができる。
【００９２】
なお、送風機１００は、天井に設置されることに限定されず、鉛直方向と交差する方向に風を送ることができるように、室内の別の壁面に設置されていてもよい。また、本発明に従った送風機は、特定の場所に設置されるものに限定されず、持ち運びが可能な送風機であってもよい。
【００９３】
駆動部としてのモータは、直流ブラシレスモータに限定されず、別の種類のモータであってもよい。照明器具９０に用いられる光源は、蛍光灯またはランプであってもよい。
【００９４】
ファンホイール１０のスポーク１１は、回転軸線Ｃを中心とする円の半径方向に沿って延びていることに限定されない。スポーク１１の全体が軸部１６からリム１５に向かって延びることによって、スポーク１１の全体が実質的に回転軸線Ｃを中心とする円の半径方向に延びていればよい。
【００９５】
上記のように、ファンホイール１０のリム１５には、回転軸線Ｃを中心とする円における羽根５１の半径方向の寸法が縮小する方向に、羽根５１がさらに移動することを制限するためのストッパ１２ａが配置されている。これに対し、回転軸線Ｃを中心とする円における羽根５１の半径方向の寸法が拡大する方向に羽根５１が移動する範囲を制限するためのストッパとして、ストッパ１２ａとは別のストッパがファンホイール１０に配置されていてもよい。
【００９６】
ファンホイール１０の回転が停止している場合において、回転軸線Ｃが延びる方向の一方（図８（Ａ）の下方から上方）に沿って送風機１００を見るときに、羽根５１の全体がカバー９１から露出していてもよい。あるいは、ファンホイール１０の回転が停止している場合において、回転軸線Ｃが延びる方向の一方（図８（Ａ）の下方から上方）に沿って送風機１００を見るときに、羽根５１の一部がカバー９１に隠れることによって、別の一部がカバー９１から露出していてもよい。
【００９７】
なお、送風機１００において、羽根５１とファンホイール１０との間のコイルバネ２０の連結は、図４，５に図示された例に限定されない。コイルバネ２０は、回転軸線Ｃを中心とする円における羽根５１の半径方向の寸法が縮小する方向に羽根５１を付勢するように、羽根５１とファンホイール１０とに連結されていればよい。羽根５１とファンホイール１０とを連結する付勢部材としては、圧縮バネが利用されていてもよい。あるいは、羽根５１とファンホイール１０とを連結する付勢部材は、コイルバネでなくてもよい。別の種類のバネによって、羽根５１とファンホイール１０とが連結されていてもよい。
【００９８】
あるいは、抑制部は、リンク機構等を利用した部材によって構成されていてもよい。リンク機構等の機械的な構成を有する抑制部は、回転軸線Ｃを中心とする円における羽根５１の半径方向の寸法が縮小する方向に羽根５１の移動を抑制するように、羽根５１とファンホイール１０とに連結されていればよい。
【００９９】
リンク機構等を利用した部材は、モータ５０の駆動に伴って軸部１６等の回転軸が回転軸線Ｃを中心に回転する場合に、羽根５１が、回転軸線５１ｃを中心に回転し、回転軸線Ｃを中心とする円における半径方向の寸法が拡大する方向に移動するように、羽根５１に連結されていてもよい。リンク機構等を利用した部材は、回転軸線Ｃを中心とする円における半径方向の寸法が拡大する方向に、遠心力に依らずに強制的に羽根５１を移動させる油圧機構等を備えていてもよい。
【０１００】
なお、羽根５１の数とスポーク１１の数とは、それぞれ８個に限定されない。ファンホイール１０の形状は、上述した図１に示す形状に限定されず、適宜設定することができる。ファンホイール１０において、上記のストッパの位置と別のストッパの位置とは、限定されない。あるいは、上記のストッパと別のストッパとは、ファンホイール１０に配置されていなくてもよい。送風機１００は、ストッパと別のストッパとを備えていなくてもよい。
【０１０１】
上記のように、モータ５０（図６参照）が所定の回転数で回転する場合に、図３に示すように８枚のすべての羽根５１が略同時にファンホイール１０から広がる。ただし、例えば図９に示す例のように、隣り合う二つの羽根５１の一方がファンホイール１０から広がり、且つ、他方が閉じたままの状態であるように、送風機１００が構成されていてもよい。このようにすることにより、隣り合う二つの羽根５１において、羽根５１が開かれた状態と羽根５１が閉じられた状態とが互い違いに並ぶ。
【０１０２】
羽根５１は、二以上の羽根５１が一組であるように組み合わされた複数の羽根５１を含む。具体的に、各羽根５１は、一組の羽根５１の数が４枚であるように、二組に分けられている。羽根５１の半径方向の寸法の拡大が開始されるときに回転する軸部１６の回転数は、一組の羽根５１ごとに異なっている。なお、軸部１６の回転数とは、モータ５０（図６参照）の回転数であると言い換えることができる。
【０１０３】
上記のように、送風機１００において、抑制部は、複数のバネとして、複数のコイルバネ２０（図４参照）を有している。各コイルバネ２０は、回転軸線Ｃを中心とする円における各羽根５１の半径方向の寸法が縮小する方向に各羽根５１を付勢する。各コイルバネ２０は、各羽根５１に連結されている。図９に示す例においては、コイルバネ２０のバネ定数が一組の羽根５１ごとに異なっている。
【０１０４】
コイルバネ２０のバネ定数が一組の羽根５１ごとに異なっている場合には、図９に示す例のように、羽根５１の半径方向の寸法の拡大が開始される時期を一組の羽根５１ごとに調整することができる。つまり、この構成によれば、所定の回転数で軸部１６が回転する場合に、比較的小さいバネ定数を有するコイルバネ２０が連結された一の一組の羽根５１の寸法が拡大する。回転数が次第に増加して、別の所定の回転数で軸部１６が回転する場合に、比較的大きいバネ定数を有するコイルバネ２０が連結されたさらに別の一組の羽根５１の寸法が拡大する。
【０１０５】
あるいは、図示されていないが、一組ごとに羽根５１の形状が異なっていてもよい。例えば、回転軸線Ｃを中心にファンホイール１０が回転する場合に羽根５１に負荷される抵抗力または回転軸線５１ｃを中心に羽根５１が回転する場合に羽根５１に負荷される抵抗力に差が生じるように、一組ごとに羽根５１の形状が異なっていてもよい。つまり、抑制部は、羽根５１の形状を含んでいてもよい。あるいは、各組の羽根５１全体の重量バランスが異なるように、一組ごとに羽根５１の形状が異なっていてもよい。あるいは、上記の複数のコイルバネ２０等の付勢部材のバネ定数がすべて同一であっても、一組の羽根５１ごとに付勢部材が取り付けられる位置が異なること等によって、付勢力が各羽根５１に作用する方向に差が生じていてもよく、各羽根５１に作用する付勢力の大きさに差が生じていてもよい。
【０１０６】
これらのように各羽根５１が形成されている場合にも、図９に示す例のように、羽根の半径方向の寸法の拡大が開始される時期を一組の羽根５１ごとに調整することができる。なお、羽根５１の枚数によっては、隣り合う二つの羽根５１において、羽根５１が開かれた状態と羽根５１が閉じられた状態とが互い違いに並ぶことに限定されない。
【０１０７】
このようにすることにより、羽根５１は、二以上の羽根５１が一組であるように組み合わされた複数の羽根５１を含む。送風機１００において、羽根５１の半径方向の寸法の拡大が開始されるときに回転する軸部１６の回転数は、一組の羽根５１ごとに異なっている。
【０１０８】
この構成によれば、所定の回転数で軸部１６が回転する場合に、例えば、一の一組の羽根５１の寸法が拡大する。回転数が次第に増加して、別の所定の回転数で軸部１６が回転する場合に、さらに別の一組の羽根５１の寸法が拡大する。このように、この構成によれば、軸部１６の回転数を調整することだけによって得られる風力または風量に比べて、得られる風力または風量を格段に増大することができる。
【０１０９】
なお、送風機１００においては、羽根５１の重量が一組の羽根５１ごとに異なっていてもよい。この構成によれば、所定の回転数で軸部１６が回転する場合に、比較的重い重量を有する一の一組の羽根５１の寸法が拡大する。回転数が次第に増加して、別の所定の回転数で軸部１６が回転する場合に、比較的軽い重量を有するさらに別の一組の羽根５１の寸法が拡大する。
【０１１０】
あるいは、送風機１００においては、回転軸線Ｃから回転軸線５１ｃまでの距離が、一組の羽根５１ごとに異なっていてもよい。
【０１１１】
この構成によれば、所定の回転数で軸部１６が回転する場合に、回転軸線Ｃから回転軸線５１ｃまでの距離が比較的長い一の一組の羽根５１の寸法が拡大する。回転数が次第に増加して、別の所定の回転数で軸部１６が回転する場合に、回転軸線Ｃから回転軸線５１ｃまでの距離が比較的短いさらに別の一組の羽根５１の寸法が拡大する。
【０１１２】
なお、送風機１００においては、上記のいずれかの構成の組み合わせによって、回転中心Ｃを中心とする円の半径方向に沿った羽根５１の寸法の拡大が開始される時期が一組の羽根５１ごとに調整されていてもよい。
【０１１３】
（第２実施形態）
図１０には、第２実施形態の送風機２００を示す。第１実施形態の送風機１００と同様に、送風機２００は、図示しない天井に設置される送風機である。なお、以下において、第１実施形態の送風機１００と同様の構成については、同符号を付し、説明を省略する。
【０１１４】
送風機２００が第１実施形態の送風機１００（図１参照）と異なる点は、送風機２００においては、羽根５１に羽根５２が連結されることによって、羽根５３が構成されている。言い換えると、羽根５３は、羽根５１と羽根５２とを有している。送風機２００において、羽根５１は羽根５３の第１の部分の一例であり、且つ、羽根５２は羽根５３の第２の部分の一例である。羽根５１は、軸部１６に連結され且つ回転軸線５１ｃを有している。
【０１１５】
送風機２００は、コイルバネ２０とトーションバネ２３とを有する抑制部を備えている。コイルバネ２０は、回転軸線Ｃを中心とする円における羽根５１および羽根５３の半径方向の寸法が拡大することを抑制するように、羽根５１を付勢する。トーションバネ２３は、回転軸線Ｃを中心とする円における羽根５２および羽根５３の半径方向の寸法が拡大することを抑制するように、羽根５２を付勢する。送風機２００において、コイルバネ２０とトーションバネ２３とは、抑制部の一例である。コイルバネ２０は、第１のバネの一例である。トーションバネ２３は、第２のバネの一例である。
【０１１６】
送風機２００において、ファンホイール１０に対する羽根５１の取り付けと、ファンホイール１０と羽根５１とのコイルバネ２０による連結については、第１実施形態の送風機１００（図４参照）のものと同様である。コイルバネ２０は、軸部１６と羽根５１との間に配置されている。軸部１６と羽根５１との間には、リム１５と補強部１２とが配置されている。
【０１１７】
トーションバネ２３は、羽根５１と羽根５２との間に配置されている。トーションバネ２３の一端は、羽根５１に固定されている。トーションバネ２３の他端は、羽根５２に固定されている。トーションバネ２３は、ボルトおよびナット等の固定具２４，２５によって、それぞれ羽根５１と羽根５２とに固定されている。
【０１１８】
羽根５１と羽根５２との間には、羽根５１に対する羽根５２の回転の中心としての回転軸線５２ｃが形成されている。羽根５１と羽根５２との間には、支柱５４が延びている。支柱５４は、回転軸線Ｃが延びる方向と略平行な方向に、羽根５２の上面から延びている。羽根５１は、羽根５２に対して支柱５４の周表面に沿って回転する。回転軸線５２ｃは、支柱５４の中心線と略一致する。回転軸線５２ｃは、第３の回転軸線の一例である。
【０１１９】
以上のように構成された送風機２００によれば、羽根５１が回転軸線５１ｃを中心に軸部１６に対して回転することによって、羽根５３の寸法が半径方向に沿って拡大するとともに、羽根５２が回転軸線５２ｃを中心に羽根５１に対して回転することによって羽根５３の寸法がさらに拡大する。このように、送風機２００によれば、羽根５３において羽根５１のみが回転軸線５１ｃを中心に回転する構成に比べて、得られる風力または風量を格段に増大することができる。
【０１２０】
なお、送風機２００において、半径方向に沿った羽根５２の寸法の拡大が開始されるときに回転する軸部１６の回転数は、一組の羽根５３ごとに異なっていてもよい。例えば、羽根５２の重量が一組の羽根５３ごとに異なっていてもよい。あるいは、トーションバネ２３のバネ定数が一組の羽根５３ごとに異なっていてもよい。
【０１２１】
あるいは、図示されていないが、回転軸線Ｃから回転軸線５２ｃまでの距離が、一組の羽根５３ごとに異なっていてもよい。この構成によれば、複数の組における回転軸線Ｃから回転軸線５２ｃまでの距離の違いに応じて、羽根５１から羽根５２が広がるときに回転する軸部１６（またはモータ５０（図６参照））の回転数に差が生じる。このように、この構成によれば、得られる風力または風量を、格段に増大することができ、且つ、複数の組における回転軸線Ｃから回転軸線５２ｃまでの距離の違いに応じて、適宜調整することができる。
【０１２２】
なお、図示されていないが、羽根５３は、羽根５１と羽根５２とに加えて、さらに別の羽根を有していてもよい。すなわち、羽根５３は、三段以上の多段に重なった構成を有していてもよい。
【０１２３】
（第３実施形態）
図１１には、第３実施形態の送風機３００を示す。図１１は、送風機３００を上方から見た送風機３００の全体を示す図である。第１実施形態の送風機１００と同様に、送風機３００は、図示しない天井に設置される送風機である。なお、以下において、第１実施形態の送風機１００と同様の構成については、同符号を付し、説明を省略する。
【０１２４】
送風機３００が第１実施形態の送風機１００（図１参照）と異なる点は、送風機３００においては、第２の回転軸線の一例としての回転軸線７１ｃの位置が、回転軸線Ｃを有する回転軸６０に近接している。
【０１２５】
送風機３００は、回転軸６０と、モータ６５と、４枚の羽根７１と、４個のコイルバネ８０と、４本の支持部材６１と、リム６２とを備えている。各支持部材６１は、回転軸６０から放射状に延びている。リム６２は、環形状を有している。リム６２は、回転軸線Ｃを中心とする円の半径方向に沿って回転軸６０から離れた位置において、隣り合う二つの支持部材６１に連結されている。支持部材６１は、回転軸６０からリム６２に向かって延びることによって、実質的に回転軸線Ｃを中心とする円の半径方向に延びている。リム６２は、連結部材の一例である。支持部材６１とリム６２とは一体である。ただし、支持部材６１とリム６２とは、それぞれ別の部材に分かれていてもよい。
【０１２６】
各羽根７１は、リム６２に固定されている。回転軸線Ｃを中心とする円の円周方向において、互いに隣り合う二つの羽根７１の間隔は、それぞれ等間隔である。羽根７１とリム６２との間に、リム６２に対する羽根７１の回転の中心としての回転軸線７１ｃが形成されている。羽根７１とリム６２との間には、支柱６４が延びている。
【０１２７】
支柱６４は、回転軸線Ｃが延びる方向と略平行な方向に、リム６２の上面から延びている。羽根７１は、リム６２に対して支柱６４の周表面に沿って回転する。回転軸線７１ｃは、支柱６４の中心線と略一致する。このように、回転軸線７１ｃは、回転軸線Ｃが延びる方向と略平行な方向に延びている。
【０１２８】
モータ６５は、筐体６６に収容されている。筐体６６は、回転軸６０の上方に配置されている。モータ６５は、駆動部の一例である。モータ６５の回転は、歯車等によって減速されてから回転軸６０に伝達される。モータ６５は、第１の回転方向と、第１の回転方向と逆向きの第２の回転方向とに回転方向が切り替え自在であるように構成されている。モータ６５は、回転軸６０を第１の回転方向と第２の回転方向とに回転させる。
【０１２９】
このようにして、各羽根７１は、回転軸線７１ｃを中心に回転自在に回転軸６０に連結されている。各羽根７１は、モータ６５の駆動に伴って回転軸６０が回転軸線Ｃを中心に回転することによって、回転軸線７１ｃを中心に遠心力によって回転する。
【０１３０】
４枚の羽根７１は、それぞれ板形状を有している。送風機３００において、回転軸線Ｃを中心に第１の回転方向（例えば、図１１において反時計回り）に回転軸６０が回転する場合に、送風機３００が下降気流を発生させるように、羽根７１が形成されている。一方、回転軸線Ｃを中心に第２の回転方向（例えば、図１１において時計回り）に回転軸６０が回転する場合に、送風機３００が上昇気流を発生させるように、羽根７１が形成されている。
【０１３１】
回転軸６０と各羽根７１とには、抑制部の一例としてのコイルバネ８０が連結されている。各コイルバネ８０は、回転軸線Ｃを中心とする円における羽根７１の半径方向の寸法が縮小する方向に各羽根７１を付勢する。支持部材６１に、コイルバネ８０の一端が固定されている。コイルバネ８０の他端は、羽根７１に固定されている。コイルバネ８０は、ボルトおよびナット等の固定具８１，８２によって、それぞれ羽根７１と支持部材６１とに固定されている。
【０１３２】
なお、送風機３００には、照明器具が取り付けられていてもよい。
【０１３３】
送風機３００において、支持部材６１の数は、羽根７１の数と同一でなくてもよい。支持部材６１の数は、羽根７１の数よりも多いことが好ましい。
【０１３４】
送風機３００において、４枚の羽根７１は、２枚の羽根７１が一組であるように組み合わされていてもよい。送風機３００において、羽根７１の半径方向の寸法の拡大が開始されるときに回転する回転軸６０またはモータ６５の回転数は、一組の羽根７１ごとに異なっていてもよい。
【０１３５】
送風機３００の羽根７１の数は、４枚に限定されない。さらに、羽根７１の枚数によっては、隣り合う二つの羽根７１において、羽根７１が開かれた状態と羽根７１が閉じられた状態とが互い違いに並ぶことに限定されない。
【０１３６】
羽根７１と回転軸６０とを連結するバネの種類は、コイルバネに限定されない。別の種類のバネによって、羽根７１と回転軸６０とが連結されていてもよい。あるいは、抑制部は、リンク機構等を利用した部材によって構成されていてもよい。
【０１３７】
回転軸線Ｃが延びる方向の一方（鉛直下方から上方に向かう方向）に沿って、羽根７１とリム６２とは、羽根７１とリム６２との順に並んでいてもよい。各羽根７１の全体は、略水平方向から傾斜した方向に沿って延びていてもよい。
【０１３８】
（第４実施形態）
図１２には、第４実施形態の送風機４００を示す。なお、以下において、第３実施形態の送風機３００と同様の構成については、同符号を付し、説明を省略する。
【０１３９】
送風機４００が第３実施形態の送風機３００（図１１参照）と異なる点は、送風機４００においては、羽根７１に羽根７２が連結されることによって、羽根７０が構成されている。言い換えると、羽根７０は、羽根７１と羽根７２とを有している。送風機４００において、羽根７１は羽根７０の第１の部分の一例であり、且つ、羽根７２は羽根７０の第２の部分の一例である。羽根７１は、回転軸６０に連結され且つ回転軸線７１ｃを有している。
【０１４０】
送風機４００は、コイルバネ８０とトーションバネ８３とを含む抑制部を備えている。コイルバネ８０は、回転軸線Ｃを中心とする円における羽根７１および羽根７０の半径方向の寸法が拡大することを抑制するように、羽根７１を付勢する。トーションバネ８３は、回転軸線Ｃを中心とする円における羽根７２および羽根７０の半径方向の寸法が拡大することを抑制するように、羽根７２を付勢する。送風機４００において、コイルバネ８０とトーションバネ８３とは、抑制部の一例である。
【０１４１】
トーションバネ８３は、羽根７１と羽根７２との間に配置されている。トーションバネ８３の一端は、羽根７１に固定されている。トーションバネ８３の他端は、羽根７２に固定されている。トーションバネ８３は、ボルトおよびナット等の固定具８４，８５によって、それぞれ羽根７１と羽根７２とに固定されている。
【０１４２】
羽根７１と羽根７２との間には、羽根７１に対する羽根７２の回転の中心としての回転軸線７２ｃが形成されている。羽根７１と羽根７２との間には、支柱７１ａが延びている。支柱７１ａは、回転軸線Ｃが延びる方向と略平行な方向に、羽根７１の下面から延びている。羽根７２は、羽根７１に対して支柱７１ａの周表面に沿って回転する。回転軸線７２ｃは、支柱７１ａの中心線と略一致する。回転軸線７２ｃは、第３の回転軸線の一例である。
【０１４３】
なお、送風機４００において、半径方向に沿った羽根７２の寸法の拡大が開始されるときに回転する回転軸６０の回転数は、一組の羽根７０ごとに異なっていてもよい。例えば、羽根７２の重量が一組の羽根７０ごとに異なっていてもよい。あるいは、トーションバネ８３のバネ定数が一組の羽根７０ごとに異なっていてもよい。あるいは、図示されていないが、回転軸線Ｃから回転軸線７２ｃまでの距離が一組の羽根７０ごとに異なっていてもよい。
【０１４４】
なお、図１３に示すように、羽根７０は、羽根７１と羽根７２とに加えて、さらに別の羽根７３を有していてもよい。すなわち、羽根７０は、三段に重なった構成を有していてもよい。抑制部は、トーションバネ８６をさらに有していてもよい。
【０１４５】
トーションバネ８６は、回転軸線Ｃを中心とする円における羽根７３および羽根７０の半径方向の寸法が拡大することを抑制するように、羽根７３を付勢する。トーションバネ８６は、羽根７２と羽根７３との間に配置されている。トーションバネ８６の一端は、羽根７２に固定されている。トーションバネ８６の他端は、羽根７３に固定されている。トーションバネ８６は、ボルトおよびナット等の固定具８７，８８によって、それぞれ羽根７２と羽根７３とに固定されている。
【０１４６】
羽根７２と羽根７３との間には、羽根７２に対する羽根７３の回転の中心としての回転軸線７３ｃが形成されている。羽根７２と羽根７３との間には、支柱７２ａが延びている。支柱７２ａは、回転軸線Ｃが延びる方向と略平行な方向に、羽根７２の下面から延びている。羽根７３は、羽根７２に対して支柱７２ａの周表面に沿って回転する。回転軸線７３ｃは、支柱７２ａの中心線と略一致する。
【０１４７】
なお、羽根７１と羽根７２とを連結するバネの種類と、羽根７２と羽根７３とを連結するバネの種類とは、それぞれトーションバネに限定されない。別の種類のバネによって、羽根７１と回転軸６０とが連結され、且つ、羽根７２と羽根７３とが連結されていてもよい。あるいは、抑制部は、リンク機構等を利用した部材によって構成されていてもよい。羽根７１と羽根７２とを連結するリンク機構等の機械的な構成と、羽根７２と羽根７３とを連結するリンク機構等の機械的な構成とは、それぞれ別に構成されていてもよく、一体であってもよい。
【０１４８】
なお、三段に重なった構成を有する羽根７０を備えた送風機４００において、４本の羽根７０は、２本の羽根７０が一組であるように組み合わされていてもよい。送風機４００において、羽根７２の半径方向の寸法の拡大が開始されるときに回転する回転軸６０またはモータ６５の回転数は、一組の羽根７２ごとに異なっていてもよい。羽根７３の半径方向の寸法の拡大が開始されるときに回転する回転軸６０またはモータ６５の回転数は、一組の羽根７３ごとに異なっていてもよい。
【０１４９】
例えば、羽根７３の重量が一組の羽根７０ごとに異なっていてもよい。あるいは、トーションバネ８６のバネ定数が一組の羽根７０ごとに異なっていてもよい。あるいは、図示されていないが、回転軸線Ｃから各羽根７３の回転軸線７３ｃまでの距離が一組の羽根７０ごとに異なっていてもよい。
【０１５０】
送風機４００の羽根７０の本数は、４に限定されない。さらに、羽根７０の本数によっては、隣り合う二つの羽根７０において、羽根７１，７２，７３が開かれた状態と羽根７１，７２，７３が閉じられた状態とが互い違いに並ぶことに限定されない。
【０１５１】
送風機４００の羽根７０において、回転軸線Ｃが延びる方向の一方（鉛直下方から上方に向かう方向）に沿って、羽根７１，７２，７３は、羽根７１，７２，７３の順に並んでいてもよい。
【０１５２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１５３】
１０：ファンホイール、１１：スポーク、１５：リム、１６：軸部、２０：コイルバネ、５０：モータ、５１：羽根、５１ｃ：回転軸線、９０：照明器具、９１：カバー、Ｃ：回転軸線
【図１】
2013224603.tif 000003
【図２】
2013224603.tif 000004
【図３】
2013224603.tif 000005
【図４】
2013224603.tif 000006
【図５】
2013224603.tif 000007
【図６】
2013224603.tif 000008
【図７】
2013224603.tif 000009
【図８】
2013224603.tif 000010
【図９】
2013224603.tif 000011
【図１０】
2013224603.tif 000012
【図１１】
2013224603.tif 000013
【図１２】
2013224603.tif 000014
【図１３】
2013224603.tif 000015